(57)【要約】【課題】駆動電圧を高くすることなく輝度の高い画像を表示することができる表示装置を提供する。【解決手段】表示装置は、  電流駆動型の発光部と発光部を駆動する駆動回路とを含む表示素子が行方向と列方向とに２次元マトリクス状に配列されて成る表示部、  表示素子の各行に対応して配された給電線に表示素子を駆動するための駆動電圧を供給する電源部、  表示素子の各列に対応して配されたデータ線に映像信号に応じた映像信号電圧を供給する信号出力部、及び、  表示すべき画像の入力信号に基づいて行方向に並ぶ表示素子に対応した入力信号における最大階調値を検出し、検出結果に基づいて、表示素子に対応する給電線に供給される駆動電圧のデューティ比を制御すると共に、駆動電圧のデューティ比と入力信号とに基づいて、各行の表示素子のそれぞれに対応した映像信号の値を制御する制御部、を備えている。【選択図】  図２
2014098736.tif 000002
【特許請求の範囲】
【請求項１】
電流駆動型の発光部と発光部を駆動する駆動回路とを含む表示素子が行方向と列方向とに２次元マトリクス状に配列されて成る表示部、
表示素子の各行に対応して配された給電線に表示素子を駆動するための駆動電圧を供給する電源部、
表示素子の各列に対応して配されたデータ線に映像信号の値に応じた映像信号電圧を供給する信号出力部、及び、
表示すべき画像の入力信号に基づいて行方向に並ぶ表示素子に対応した入力信号における最大階調値を検出し、検出結果に基づいて、表示素子に対応する給電線に供給される駆動電圧のデューティ比を制御すると共に、駆動電圧のデューティ比と入力信号とに基づいて、各行の表示素子のそれぞれに対応した映像信号の値を制御する制御部、
を備えている表示装置。
【請求項２】
駆動電圧のデューティ比の値と入力信号の値とに対応した映像信号の値は、発光部が発光を開始するまでの期間の長さが発光部に流される電流の値によって変化することによる影響を補償するように設定されている請求項１に記載の表示装置。
【請求項３】
制御部は、駆動電圧のデューティ比の値と入力信号の値とに対応した映像信号の値を格納した映像信号値テーブル格納部を備えている請求項１に記載の表示装置。
【請求項４】
制御部は、駆動電圧のデューティ比を、最大階調値が所定の基準値以下の場合には所定の値Ｄ1に設定し、最大階調値が所定の基準値を超える場合には値Ｄ1よりも大きい所定の値Ｄ2に設定する請求項１に記載の表示装置。
【請求項５】
最大階調値が所定の基準値を超える行の周辺が最大階調値が所定の基準値を超えない行で占められている場合に、制御部は、最大階調値が所定の基準値を超える行の周辺行における駆動電圧のデューティ比を最大階調値が所定の基準値を超える行に近づくほど所定の値Ｄ1に近づけるように制御し併せて表示素子に対応した映像信号の値を制御する請求項４に記載の表示装置。
【請求項６】
電流駆動型の発光部と発光部を駆動する駆動回路とを含む表示素子が行方向と列方向とに２次元マトリクス状に配列されて成る表示部、
表示素子の各行に対応して配された給電線に表示素子を駆動するための駆動電圧を供給する電源部、
表示素子の各列に対応して配されたデータ線に映像信号に応じた映像信号電圧を供給する信号出力部、及び、
表示素子に対応する給電線に供給される駆動電圧のデューティ比と表示素子に対応した映像信号の値とを制御する制御部、
を備えた表示装置を用いて、
表示すべき画像の入力信号に基づいて行方向に並ぶ表示素子に対応した入力信号における最大階調値を検出する工程、
検出結果に基づいて、表示素子に対応する給電線に供給される駆動電圧のデューティ比を制御する工程、及び、
駆動電圧のデューティ比と入力信号とに基づいて、各行の表示素子のそれぞれに対応した映像信号の値を制御する工程、
を行う表示装置の駆動方法。
【発明の詳細な説明】
【技術分野】
【０００１】
本開示は、表示装置および表示装置の駆動方法に関する。
【背景技術】
【０００２】
電流駆動型の発光部を備えた表示素子、及び、係る表示素子を備えた表示装置が周知である。例えば、有機材料のエレクトロルミネッセンスを利用した発光部を備えた表示素子（以下、単に、有機ＥＬ表示素子と略称する場合がある）は、低電圧直流駆動による高輝度発光が可能な表示素子として注目されている。
【０００３】
液晶表示装置と同様に、例えば、有機ＥＬ表示素子を備えた表示装置においても、駆動方式として、単純マトリクス方式、及び、アクティブマトリクス方式が周知である。アクティブマトリクス方式は、構造が複雑になるといった欠点はあるが、画像の輝度を高いものとすることができる等の利点を有する。アクティブマトリクス方式により駆動される有機ＥＬ表示素子にあっては、発光層を含む有機層等から構成された発光部に加えて、発光部を駆動するための駆動回路を備えている。
【０００４】
電流駆動型の発光部を駆動するための回路として、例えば、２つのトランジスタと１つの容量部から構成された駆動回路（２Ｔｒ／１Ｃ駆動回路と呼ぶ）が、特開２００７−３１０３１１号公報（特許文献１）等から周知である。２Ｔｒ／１Ｃ駆動回路は、例えば後述する図３に示すように、書込みトランジスタＴＲWと駆動トランジスタＴＲDの２つのトランジスタ、及び、１つの容量部Ｃ1から構成されている。
【先行技術文献】
【特許文献】
【０００５】
【特許文献１】特開２００７−３１０３１１号公報
【発明の概要】
【発明が解決しようとする課題】
【０００６】
図３に示すような構成の表示素子を備えた表示装置の輝度は、基本的には、発光部に流される電流の値と、発光部に電流が流される期間の１フィールド期間に占める割合（デューティ比）とに応じて定まる。動画ボケを軽減するといった観点から、デューティ比を小さく設定することが好ましいが、発光部が発光する期間が短くなるので表示装置の輝度が低下する。この場合、表示される画像の輝度を高めようとすれば表示素子を駆動するための駆動電圧をより高く設定する必要が生ずる。これによって、表示装置の消費電力が増加する。
【０００７】
従って、本開示の目的は、駆動電圧をより高く設定することなく、動画ボケの軽減を図りつつ画像の輝度も高めることができる表示装置およびその駆動方法を提供することにある。
【課題を解決するための手段】
【０００８】
上記の目的を達成するための本開示の表示装置は、
電流駆動型の発光部と発光部を駆動する駆動回路とを含む表示素子が行方向と列方向とに２次元マトリクス状に配列されて成る表示部、
表示素子の各行に対応して配された給電線に表示素子を駆動するための駆動電圧を供給する電源部、
表示素子の各列に対応して配されたデータ線に映像信号の値に応じた映像信号電圧を供給する信号出力部、及び、
表示すべき画像の入力信号に基づいて行方向に並ぶ表示素子に対応した入力信号における最大階調値を検出し、検出結果に基づいて、表示素子に対応する給電線に供給される駆動電圧のデューティ比を制御すると共に、駆動電圧のデューティ比と入力信号とに基づいて、各行の表示素子のそれぞれに対応した映像信号の値を制御する制御部、
を備えている表示装置である。
【０００９】
上記の目的を達成するための本開示の表示装置の駆動方法は、
電流駆動型の発光部と発光部を駆動する駆動回路とを含む表示素子が行方向と列方向とに２次元マトリクス状に配列されて成る表示部、
表示素子の各行に対応して配された給電線に表示素子を駆動するための駆動電圧を供給する電源部、
表示素子の各列に対応して配されたデータ線に映像信号に応じた映像信号電圧を供給する信号出力部、及び、
表示素子に対応する給電線に供給される駆動電圧のデューティ比と表示素子に対応した映像信号の値とを制御する制御部、
を備えた表示装置を用いて、
表示すべき画像の入力信号に基づいて行方向に並ぶ表示素子に対応した入力信号における最大階調値を検出する工程、
検出結果に基づいて、表示素子に対応する給電線に供給される駆動電圧のデューティ比を制御する工程、及び、
駆動電圧のデューティ比と入力信号とに基づいて、各行の表示素子のそれぞれに対応した映像信号の値を制御する工程、
を行う表示装置の駆動方法である。
【発明の効果】
【００１０】
本開示に係る表示装置および表示装置の駆動方法によれば、表示すべき画像の入力信号に基づいて行方向に並ぶ表示素子に対応した入力信号における最大階調値を検出し、検出結果に基づいて、表示素子に対応する給電線に供給される駆動電圧のデューティ比を制御すると共に、駆動電圧のデューティ比と入力信号とに基づいて、各行の表示素子のそれぞれに対応した映像信号の値を制御する。これによって、駆動電圧をより高く設定することなく、動画ボケの軽減を図りつつ画像の輝度も高めることができる。
【図面の簡単な説明】
【００１１】
【図１】図１は、第１の実施形態に係る表示装置の概念図である。
【図２】図２は、制御部の構成および動作を説明するための模式的なブロック図である。
【図３】図３は、第（ｍ，ｎ）番目の表示素子の等価回路図である。
【図４】図４は、表示部における表示素子を含む部分の模式的な一部断面図である。
【図５】図５は、表示装置の動作を説明するための模式的なタイミングチャートである。
【図６】図６は、表示素子に対応する入力信号の階調と各画素行に対応した給電線における駆動電圧のデューティ比との関係を説明するための模式的な図である。
【図７】図７は、図６に引き続き、表示素子に対応する入力信号の階調と各画素行に対応した給電線における駆動電圧のデューティ比との関係を説明するための模式的な図である。
【図８】図８は、駆動電圧のデューティ比の切り替えによって、映像信号の値を変更する必要がある表示素子を説明するための模式的な図である。
【図９】図９は、給電線に印加される駆動電圧のデューティ比を説明するための模式的なグラフである。
【図１０】図１０Ａは、給電線の電位と、第２ノードの電位と、駆動トランジスタを流れるドレイン電流の関係を説明するための模式図である。図１０Ｂ、図１０Ｃ及び図１０Ｄは、図１０Ａに示す期間Ａ、期間Ｂ及び期間Ｃにおけるドレイン電流の流れを説明するための模式図である。
【図１１】図１１Ａは、給電線に印加される駆動電圧のデューティ比がＤ1［％]であるときの給電線の電位と、第２ノードの電位と、駆動トランジスタを流れるドレイン電流の関係を説明するための模式図である。図１１Ｂは、給電線に印加される駆動電圧のデューティ比がＤ2［％]であるときの給電線の電位と、第２ノードの電位と、駆動トランジスタを流れるドレイン電流の関係を説明するための模式図である。
【図１２】図１２は、給電線に印加される駆動電圧のデューティ比が一定であるときに、明るい画像を表示するときの第２ノードの電位および駆動トランジスタを流れるドレイン電流の関係、並びに、暗い画像を表示するときの第２ノードの電位および駆動トランジスタを流れるドレイン電流の関係を説明するための模式図である。
【図１３】図１３は、映像信号値テーブル格納部に格納されているデータを説明するための模式的な表である。
【図１４】図１４は、第１の実施形態の変形例における、表示素子に対応する入力信号の階調と各画素行に対応した給電線における駆動電圧のデューティ比との関係を説明するための模式的な図である。
【図１５】図１５は、変形例の表示装置に用いられる制御部の構成および動作を説明するための模式的なブロック図である。
【図１６】図１６は、映像信号値テーブル格納部に格納されているデータを説明するための模式的な表である。
【図１７】図１７Ａ及び図１７Ｂは、表示素子の駆動回路を構成する各トランジスタの導通状態／非導通状態等を模式的に示す図である。
【図１８】図１８Ａ及び図１８Ｂは、図１７Ｂに引き続き、表示素子の駆動回路を構成する各トランジスタの導通状態／非導通状態等を模式的に示す図である。
【図１９】図１９Ａ及び図１９Ｂは、図１８Ｂに引き続き、表示素子の駆動回路を構成する各トランジスタの導通状態／非導通状態等を模式的に示す図である。
【図２０】図２０Ａ及び図２０Ｂは、図１９Ｂに引き続き、表示素子の駆動回路を構成する各トランジスタの導通状態／非導通状態等を模式的に示す図である。
【図２１】図２１Ａ及び図２１Ｂは、図２０Ｂに引き続き、表示素子の駆動回路を構成する各トランジスタの導通状態／非導通状態等を模式的に示す図である。
【図２２】図２２は、図２１Ｂに引き続き、表示素子の駆動回路を構成する各トランジスタの導通状態／非導通状態等を模式的に示す図である。
【図２３】図２３は、表示素子を構成する駆動回路の他の例を説明するための模式的な回路図である。
【図２４】図２４は、表示素子を構成する駆動回路の他の例を説明するための模式的な回路図である。
【発明を実施するための形態】
【００１２】
以下、図面を参照して、実施形態に基づいて本開示を説明する。本開示は実施形態に限定されるものではなく、実施形態における種々の数値や材料は例示である。以下の説明において、同一要素または同一機能を有する要素には同一符号を用いることとし、重複する説明は省略する。尚、説明は、以下の順序で行う。
１．本開示に係る表示装置および表示装置の駆動方法、全般に関する説明
２．第１の実施形態、その他
【００１３】
［本開示に係る表示装置および表示装置の駆動方法、全般に関する説明］
本開示に係る表示装置あるいは本開示の表示装置の駆動方法（以下、これらを単に、「本開示」と呼ぶ場合がある）において、駆動電圧のデューティ比の値と入力信号の値とに対応した映像信号の値は、発光部が発光を開始するまでの期間の長さが発光部に流される電流の値によって変化することによる影響を補償するように設定されている構成とすることができる。
【００１４】
上述した好ましい構成を含む本開示において、制御部は、駆動電圧のデューティ比の値と入力信号の値とに対応した映像信号の値を格納した映像信号値テーブル格納部を備えている構成とすることができる。
【００１５】
上述した各種の好ましい構成を含む本開示において、制御部は、駆動電圧のデューティ比を、最大階調値が所定の基準値以下の場合には所定の値Ｄ1に設定し、最大階調値が所定の基準値を超える場合には値Ｄ1よりも大きい所定の値Ｄ2に設定する構成とすることができる。この場合において、最大階調値が所定の基準値を超える行の周辺が最大階調値が所定の基準値を超えない行で占められている場合に、制御部は、最大階調値が所定の基準値を超える行の周辺行における駆動電圧のデューティ比を最大階調値が所定の基準値を超える行に近づくほど所定の値Ｄ1に近づけるように制御し併せて表示素子に対応した映像信号の値を制御する構成とすることができる。
【００１６】
上述した各種の好ましい構成を含む本開示に用いられる電源部、信号出力部および制御部は、周知の回路素子等を用いて構成することができる。
【００１７】
表示装置は、所謂モノクロ表示の構成であってもよいし、カラー表示の構成であってもよい。カラー表示の構成とする場合には、１つの画素は複数の副画素から成る構成、具体的には、１つの画素は、赤色発光副画素、緑色発光副画素、及び、青色発光副画素の３つの副画素から成る構成とすることができる。更には、これらの３種の副画素に更に１種類あるいは複数種類の副画素を加えた１組（例えば、輝度向上のために白色光を発光する副画素を加えた１組、色再現範囲を拡大するために補色を発光する副画素を加えた１組、色再現範囲を拡大するためにイエローを発光する副画素を加えた１組、色再現範囲を拡大するためにイエロー及びシアンを発光する副画素を加えた１組）から構成することもできる。
【００１８】
表示装置の画素（ピクセル）の値として、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。
【００１９】
表示素子を構成する電流駆動型の発光部として、有機エレクトロルミネッセンス発光部、ＬＥＤ発光部、半導体レーザ発光部などを挙げることができる。これらの発光部は、周知の材料や方法を用いて構成することができる。平面型の表示装置を構成する観点からは、中でも、発光部は有機エレクトロルミネッセンス発光部から成る構成が好ましい。
【００２０】
表示部を構成する表示素子は、或る平面内に形成され（例えば、支持体上に形成され）ており、発光部は、例えば、層間絶縁層を介して、発光部を駆動する駆動回路の上方に形成されている。
【００２１】
発光部を駆動する駆動回路は、例えば、トランジスタや容量部から成る回路として構成することができる。駆動回路を構成するトランジスタとして、例えば、ｎチャネル型の薄膜トランジスタ（ＴＦＴ）を挙げることができる。トランジスタは、エンハンスメント型であってもよいし、デプレッション型であってもよい。ｎチャネル型のトランジスタにあってはＬＤＤ構造（Lightly Doped Drain構造）が形成されていてもよい。場合によっては、ＬＤＤ構造は非対称に形成されていてもよい。例えば、駆動トランジスタに大きな電流が流れるのは表示素子の発光時であるので、発光時においてドレイン領域となる一方のソース／ドレイン領域にのみＬＤＤ構造を形成した構成とすることもできる。尚、例えば、ｐチャネル型の薄膜トランジスタを用いてもよい。本開示の動作に適合する限り、駆動回路の構成は特に限定するものではない。
【００２２】
１つのトランジスタの有する２つのソース／ドレイン領域において、「一方のソース／ドレイン領域」という用語を、電源側に接続されたソース／ドレイン領域といった意味において使用する場合がある。また、トランジスタが導通状態にあるとは、ソース／ドレイン領域間にチャネルが形成されている状態を意味する。係るトランジスタの一方のソース／ドレイン領域から他方のソース／ドレイン領域に電流が流れているか否かは問わない。一方、トランジスタが非導通状態にあるとは、ソース／ドレイン領域間にチャネルが形成されていない状態を意味する。また、ソース／ドレイン領域は、不純物を含有したポリシリコンやアモルファスシリコン等の導電性物質から構成することができるだけでなく、金属、合金、導電性粒子、これらの積層構造、有機材料（導電性高分子）から成る層から構成することができる。
【００２３】
駆動回路を構成する容量部は、一方の電極、他方の電極、及び、これらの電極に挟まれた誘電体層から構成することができる。駆動回路を構成する上述したトランジスタ及び容量部は、或る平面内に形成され（例えば、支持体上に形成され）、発光部は、例えば、層間絶縁層を介して、駆動回路を構成するトランジスタ及び容量部の上方に形成されている。また、駆動トランジスタの他方のソース／ドレイン領域は、発光部の一端（発光部に備えられたアノード電極等）に、例えば、コンタクトホールを介して接続されている。尚、半導体基板等にトランジスタを形成した構成であってもよい。
【００２４】
走査線やデータ線、あるいは給電線などといった各種の配線は、或る平面上（例えば、支持体上）に形成される。これらの配線は、周知の構成や構造とすることができる。
【００２５】
支持体や後述する基板の構成材料として、高歪点ガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）、鉛ガラス（Ｎａ2Ｏ・ＰｂＯ・ＳｉＯ2）等のガラス材料の他、可撓性を有する高分子材料、例えば、ポリエーテルスルホン（ＰＥＳ）やポリイミド、ポリカーボネート（ＰＣ）、ポリエチレンテレフタレート（ＰＥＴ）に例示される高分子材料を例示することができる。尚、支持体や基板の表面に各種のコーティングが施されていてもよい。支持体と基板の構成材料は、同じであってもよいし異なっていてもよい。可撓性を有する高分子材料から成る支持体および基板を用いれば、可撓性を有する表示装置を構成することができる。
【００２６】
本明細書における各種の式に示す条件は、式が数学的に厳密に成立する場合の他、式が実質的に成立する場合にも満たされる。式の成立に関し、表示素子や表示装置の設計上あるいは製造上生ずる種々のばらつきの存在は許容される。
【００２７】
以下の説明で用いるタイミングチャートにおいて、各期間を示す横軸の長さ（時間長）は模式的なものであり、各期間の時間長の割合を示すものではない。縦軸においても同様である。また、タイミングチャートにおける波形の形状も模式的なものである。
【００２８】
［第１の実施形態］
第１の実施形態は、本開示に係る表示装置および表示装置の駆動方法に関する。
【００２９】
図１は、第１の実施形態に係る表示装置の概念図である。
【００３０】
表示装置１は、電流駆動型の発光部と発光部を駆動する駆動回路とを含む表示素子１０が行方向と列方向とに２次元マトリクス状に配列されて成る表示部２０、
表示素子１０の各行に対応して配された給電線ＰＳ１に表示素子１０を駆動するための駆動電圧ＶCC-Hを供給する電源部１００、及び、
表示素子１０の各列に対応して配されたデータ線ＤＴＬに映像信号ＶＤSigの値に応じた映像信号電圧ＶSigを供給する信号出力部１０２、及び、
表示素子１０に対応する給電線ＰＳ１に供給される駆動電圧ＶCC-Hのデューティ比と表示素子１０に対応した映像信号ＶＤSigの値とを制御する制御部１１０、
を備えている。
【００３１】
制御部１１０は、表示すべき画像の入力信号ＤＴSigに基づいて行方向に並ぶ表示素子１０に対応した入力信号ＤＴSigにおける最大階調値を検出し、検出結果に基づいて、表示素子１０に対応する給電線ＰＳ１に供給される駆動電圧ＶCC-Hのデューティ比を制御すると共に、駆動電圧ＶCC-Hのデューティ比と入力信号ＤＴSigとに基づいて、各行の表示素子のそれぞれに対応した映像信号ＶＤSigの値を制御する。第１の実施形態において、制御部１１０は、表示すべき画像の入力信号ＤＴSigに基づいて行方向に並ぶ表示素子１０に対応した入力信号ＤＴSigにおける最大階調値を検出する工程、検出結果に基づいて、表示素子１０に対応する給電線ＰＳ１に供給される駆動電圧のデューティ比を制御する工程、及び、駆動電圧のデューティ比と入力信号ＤＴSigとに基づいて、各行の表示素子１０のそれぞれに対応した映像信号ＶＤSigの値を制御する工程、を行う
【００３２】
表示部２０は、更に、行方向に並ぶ表示素子１０に接続され、走査回路１０１から走査信号が供給される走査線ＳＣＬと、全ての表示素子１０に共通に接続される第２の給電線ＰＳ２を備えている。第２の給電線ＰＳ２には、共通の電圧（後述するＶCat）が供給される。
【００３３】
走査線ＳＣＬ及びデータ線ＤＴＬ並びに給電線ＰＳ１及び第２の給電線ＰＳ２と、表示素子１０との接続関係は、図３を参照して、後で詳しく説明する。
【００３４】
表示部２０が画像を表示する領域（表示領域）は、行方向（図１においてＸ方向）にＮ個、列方向（図１においてＹ方向）にＭ個、合計Ｎ×Ｍ個の、２次元マトリクス状に配列された表示素子１０から構成されている。表示領域における表示素子１０の行数はＭであり、各行を構成する表示素子１０の数はＮである。尚、図１においては、３×３個の表示素子１０を図示しているが、これは、あくまでも例示に過ぎない。
【００３５】
走査線ＳＣＬ及び給電線ＰＳ１の本数はそれぞれＭ本である。第ｍ行目（但し、ｍ＝１，２・・・，Ｍ）の表示素子１０は、第ｍ番目の走査線ＳＣＬm及び第ｍ番目の給電線ＰＳ１mに接続されており、１つの表示素子行を構成する。
【００３６】
また、データ線ＤＴＬの本数はＮ本である。第ｎ列目（但し、ｎ＝１，２・・・，Ｎ）の表示素子１０は、第ｎ番目のデータ線ＤＴＬnに接続されている。
【００３７】
表示装置１は、例えばモノクロ表示の表示装置であり、１つの表示素子１０が１つの画素を構成する。走査回路１０１からの走査信号によって、表示装置１は行単位で線順次走査される。第ｍ行、第ｎ列目に位置する表示素子１０を、以下、第（ｎ，ｍ）番目の表示素子１０あるいは第（ｎ，ｍ）番目の画素と呼ぶ。
【００３８】
表示装置１にあっては、第ｍ行目に配列されたＮ個の画素のそれぞれを構成する表示素子１０が同時に駆動される。換言すれば、行方向に沿って配されたＮ個の表示素子１０にあっては、その発光／非発光のタイミングは、それらが属する行単位で制御される。表示装置１の表示フレームレートをＦＲ（回／秒）と表せば、表示装置１を行単位で線順次走査するときの１行当たりの走査期間（いわゆる水平走査期間）は、（１／ＦＲ）×（１／Ｍ）秒未満である。
【００３９】
表示装置１の制御部１１０には、表示すべき画像に応じた入力信号ＤＴSigが例えば図示せぬ装置から入力される。制御部１１０は、入力信号ＤＴSigに基づいて、電源部１００の動作を制御するためのデューティ設定信号ＤＵＲと映像信号ＶＤSigを出力する。
【００４０】
信号出力部１０２は、映像信号ＶＤSigに基づいて映像信号電圧ＶSigを出力する。より具体的には、信号出力部１０２は、映像信号電圧ＶSigと後述する基準電圧ＶOfsとをデータ線ＤＴＬに交互に供給する。
【００４１】
以下の説明において、入力信号ＤＴSigが例えば第（ｎ，ｍ）番目の表示素子１０に対応するものであることを示す場合に、これを入力信号ＤＴSig(n,m)と表す場合がある。映像信号ＶＤSigについても同様である。
【００４２】
また、映像信号電圧ＶSigが例えば第（ｎ，ｍ）番目の表示素子１０に対応するものであることを示す場合に、これを映像信号電圧ＶSig(n,m)あるいは映像信号電圧ＶSig_mと表す場合がある。
【００４３】
電源部１００は、上述した駆動電圧ＶCC-Hに加えて、後述する初期化電圧ＶCC-Lを給電線ＰＳ１に供給する。１フレーム期間に対して駆動電圧ＶCC-Hを供給する期間の占める割合（以下、「駆動電圧のデューティ比」と呼ぶ場合がある）は、制御部１１０からのデューティ設定信号ＤＵＲによって、給電線ＰＳ１毎に制御される。以下の説明において、第ｍ番目の給電線ＰＳ１mに対応するデューティ設定信号を、デューティ設定信号ＤＵＲmと表す場合がある。
【００４４】
説明の都合上、入力信号ＤＴSigおよび映像信号ＶＤSigの階調ビット数は８ビットであるとする。入力信号ＤＴSigの階調値は、表示すべき画像の輝度に応じて、０乃至２５５のいずれかの値となる。ここでは、入力信号ＤＴSigの階調値が大きいほど表示すべき画像の輝度が高いものとする。
【００４５】
また、説明の都合上、表示装置１は、白表示状態において階調値が０から２５５まで変化するにつれて、その輝度が０［ｃｄ／ｍ2］から或る所定の上限値（例えば１０００［ｃｄ／ｍ2］）まで線形に変化するような仕様であるとする。
【００４６】
次いで、制御部１１０の構成および動作の概要について説明する。
【００４７】
図２は、制御部の構成および動作を説明するための模式的なブロック図である。
【００４８】
制御部１１０は、ラインバッファ部１１１、最大階調値検出部１１２、デューティ比設定部１１３、映像信号値設定部１１４および映像信号値テーブル格納部１１５から構成されている。
【００４９】
制御部１１０によって、表示すべき画像の入力信号ＤＴSigに基づいて行方向に並ぶ表示素子１０に対応した入力信号ＤＴSigにおける最大階調値を検出する工程、検出結果に基づいて、表示素子１０に対応する給電線ＰＳ１に供給される駆動電圧のデューティ比を制御する工程、及び、駆動電圧のデューティ比と入力信号ＤＴSigとに基づいて、各行の表示素子１０のそれぞれに対応した映像信号ＶＤSigの値を制御する工程が行われる。
【００５０】
制御部１１０は、行方向に並ぶ表示素子１０から成る群ごとに順次処理を行う。図２を参照して、第ｍ行目の表示素子１０に対応した処理について説明する。
【００５１】
制御部１１０に入力される入力信号ＤＴSig(1,m)〜ＤＴSig(N,m)は、ラインバッファ部１１１に保持される。最大階調値検出部１１２は、ラインバッファ部１１１に保持された値に基づいて、入力信号ＤＴSig(1,m)〜ＤＴSig(N,m)における最大階調値を検出する。
【００５２】
制御部１１０は、駆動電圧のデューティ比を、最大階調値が所定の基準値（例えば「１２７」）以下の場合には所定の値Ｄ1に設定し、最大階調値が所定の基準値を超える場合には値Ｄ1よりも大きい所定の値Ｄ2に設定する。
【００５３】
具体的には、デューティ比設定部１１３は、最大階調値検出部１１２の検出結果に基づいて第ｍ行の表示素子に対応する給電線ＰＳ１mに供給される駆動電圧のデューティ比を設定する。給電線ＰＳ１mにおける駆動電圧のデューティ比は、検出結果が「１２７」以下の場合には所定の値Ｄ1（例えば４５［％］）に設定され、検出結果が「１２８」以上の場合には所定の値Ｄ2（例えば９０［％］）に設定される。
【００５４】
デューティ比設定部１１３は、電源部１００に、給電線ＰＳ１mにおける駆動電圧のデューティ比を制御するためのデューティ設定信号ＤＵＲmを供給する。
【００５５】
映像信号値設定部１１４は、デューティ比設定部１１３によって設定された駆動電圧のデューティ比とラインバッファ部１１１に保持された入力信号ＤＴSigの値とに基づいて映像信号ＶＤSigの値を設定することで、各行の表示素子１０のそれぞれに対応した映像信号ＶＤSigの値を制御する。
【００５６】
映像信号値テーブル格納部１１５には、駆動電圧のデューティ比の値と入力信号ＤＴSigの値とに対応した映像信号ＶＤSigの値がテーブルとして格納されている。映像信号値設定部１１４は、映像信号値テーブル格納部１１５を順次参照して、映像信号ＶＤSig(1,m)〜ＶＤSig(N,m)を設定し、且つ、信号出力部１０２に供給する。テーブルの内容は、後述する図１３を参照して後で詳しく説明する。
【００５７】
信号出力部１０２は、映像信号ＶＤSigの値に応じた映像信号電圧ＶSigをデータ線ＤＴＬに供給する。映像信号ＶＤSigの値と映像信号電圧ＶSigの値との対応関係は、発光部に電流が流れているときの明るさと映像信号ＶＤSigの値とが線形性を示すように予め設定されている。
【００５８】
以上、制御部１１０の構成および動作の概要について説明した。ここで、本開示の理解を助けるため、表示素子１０の構成および動作の概要、並びに、表示装置１の基本的な動作の概要について説明する。
【００５９】
図３は、第（ｍ，ｎ）番目の表示素子の等価回路図である。
【００６０】
表示素子１０は、電流駆動型の発光部ＥＬＰと駆動回路１１を含んでいる。駆動回路１１は、駆動トランジスタＴＲD、及び、容量部Ｃ1を備えており、駆動トランジスタＴＲDのソース／ドレイン領域を介して発光部ＥＬＰに電流が流れる。
【００６１】
駆動回路１１は、駆動トランジスタＴＲDに加えて、更に、書込みトランジスタＴＲWを備えている。駆動トランジスタＴＲDと書込みトランジスタＴＲWは、ｎチャネル型のＴＦＴから成る。尚、例えば書込みトランジスタＴＲWがｐチャネル型のＴＦＴから成る構成とすることもできる。また、駆動回路１１は更に別のトランジスタを備えていてもよい。
【００６２】
容量部Ｃ1は、駆動トランジスタＴＲDのソース領域に対するゲート電極の電圧（所謂ゲート−ソース間電圧）を保持するために用いられる。この場合の「ソース領域」とは、発光部ＥＬＰが発光するときに「ソース領域」として働く側のソース／ドレイン領域を意味する。表示素子１０の発光状態においては、駆動トランジスタＴＲDの一方のソース／ドレイン領域（図２において給電線ＰＳ１に接続されている側）はドレイン領域として働き、他方のソース／ドレイン領域（発光部ＥＬＰの一端、具体的には、アノード電極に接続されている側）はソース領域として働く。容量部Ｃ1を構成する一方の電極と他方の電極は、それぞれ、駆動トランジスタＴＲDの他方のソース／ドレイン領域とゲート電極に接続されている。
【００６３】
書込みトランジスタＴＲWは、走査線ＳＣＬに接続されたゲート電極と、データ線ＤＴＬに接続された一方のソース／ドレイン領域と、駆動トランジスタＴＲDのゲート電極に接続された他方のソース／ドレイン領域とを有する。
【００６４】
駆動トランジスタＴＲDのゲート電極は、書込みトランジスタＴＲWの他方のソース／ドレイン領域と容量部Ｃ1の他方の電極とが接続された、第１ノードＮＤ1を構成する。駆動トランジスタＴＲDの他方のソース／ドレイン領域は、容量部Ｃ1の一方の電極と発光部ＥＬＰのアノード電極とが接続された、第２ノードＮＤ2を構成する。
【００６５】
発光部ＥＬＰの他端（具体的には、カソード電極）には、第２の給電線ＰＳ２から、電圧ＶCat（例えば０［ボルト］）が印加される。発光部ＥＬＰの容量を符号ＣELで表す。また、発光部ＥＬＰの発光に必要とされる閾値電圧をＶth-ELとする。即ち、発光部ＥＬＰのアノード電極とカソード電極との間にＶth-EL以上の電圧が印加されると、発光部ＥＬＰは発光する。
【００６６】
発光部ＥＬＰは、例えば有機エレクトロルミネッセンス発光部から成り、アノード電極、正孔輸送層、発光層、電子輸送層、及び、カソード電極等から成る周知の構成や構造を有する。
【００６７】
図４は、表示部における表示素子を含む部分の模式的な一部断面図である。
【００６８】
駆動回路１１を構成するトランジスタＴＲD，ＴＲW及び容量部Ｃ1は支持体２１上に形成され、発光部ＥＬＰは、例えば、層間絶縁層４０を介して、駆動回路１１を構成するトランジスタＴＲD，ＴＲW及び容量部Ｃ1の上方に形成されている。また、駆動トランジスタＴＲDの他方のソース／ドレイン領域は、発光部ＥＬＰに備えられたアノード電極に、コンタクトホールを介して接続されている。尚、図４においては、駆動トランジスタＴＲDのみを図示する。その他のトランジスタは隠れて見えない。
【００６９】
駆動トランジスタＴＲDは、ゲート電極３１、ゲート絶縁層３２、半導体層３３に設けられたソース／ドレイン領域３５，３５、及び、ソース／ドレイン領域３５，３５の間の半導体層３３の部分が該当するチャネル形成領域３４から構成されている。一方、容量部Ｃ1は、他方の電極３６、ゲート絶縁層３２の延在部から構成された誘電体層、及び、一方の電極３７から成る。ゲート電極３１、ゲート絶縁層３２の一部、及び、容量部Ｃ1を構成する他方の電極３６は、支持体２１上に形成されている。駆動トランジスタＴＲDの一方のソース／ドレイン領域３５は配線３８（給電線ＰＳ１に対応する）に接続され、他方のソース／ドレイン領域３５は一方の電極３７に接続されている。駆動トランジスタＴＲD及び容量部Ｃ1等は、層間絶縁層４０で覆われており、層間絶縁層４０上に、アノード電極５１、正孔輸送層、発光層、電子輸送層、及び、カソード電極５３から成る発光部ＥＬＰが設けられている。尚、図面においては、正孔輸送層、発光層、及び、電子輸送層を１層５２で表した。発光部ＥＬＰが設けられていない層間絶縁層４０の部分の上には、第２層間絶縁層５４が設けられ、第２層間絶縁層５４及びカソード電極５３上には透明な基板２２が配置されており、発光層にて発光した光は、基板２２を通過して、外部に出射される。尚、一方の電極３７とアノード電極５１とは、層間絶縁層４０に設けられたコンタクトホールによって接続されている。また、カソード電極５３は、第２層間絶縁層５４、層間絶縁層４０に設けられたコンタクトホール５６，５５を介して、ゲート絶縁層３２の延在部上に設けられた配線３９（第２の給電線ＰＳ２に対応する）に接続されている。
【００７０】
図３に示す駆動トランジスタＴＲDは、表示素子１０の発光状態においては、飽和領域で動作するように電圧設定されており、以下の式（１）に従ってドレイン電流Ｉdsを流すように駆動される。上述したように、表示素子１０の発光状態においては、駆動トランジスタＴＲDの一方のソース／ドレイン領域はドレイン領域として働き、他方のソース／ドレイン領域はソース領域として働く。説明の都合上、以下、駆動トランジスタＴＲDの一方のソース／ドレイン領域を単にドレイン領域と呼び、他方のソース／ドレイン領域を単にソース領域と呼ぶ場合がある。尚、
μ  ：実効的な移動度
Ｌ  ：チャネル長
Ｗ  ：チャネル幅
Ｖgs：ソース領域に対するゲート電極の電圧
Ｖth：閾値電圧
Ｃox：（ゲート絶縁層の比誘電率）×（真空の誘電率）／（ゲート絶縁層の厚さ）
ｋ≡（１／２）・（Ｗ／Ｌ）・Ｃox
とする。
【００７１】
Ｉds＝ｋ・μ・（Ｖgs−Ｖth）2    （１）
【００７２】
このドレイン電流Ｉdsが発光部ＥＬＰを流れることで、表示素子１０の発光部ＥＬＰが発光する。更には、このドレイン電流Ｉdsの値の大小によって、ドレイン電流Ｉdsが流れているときの発光部ＥＬＰにおける光の強さが制御される。
【００７３】
以上、表示素子１０の構成および動作の概要について説明した。次いで、表示装置１の基本的な動作の概要について説明する。動作の詳細については、後述する図１７ないし図２２を参照して後で説明する。
【００７４】
図５は、表示装置の動作を説明するための模式的なタイミングチャートである。
【００７５】
以下の説明において、電圧あるいは電位の値を以下のとおりとするが、これは、あくまでも説明のための値であり、これらの値に限定されるものではない。
【００７６】
ＶSig  ：映像信号電圧
・・・０ボルト〜１５ボルト
ＶOfs  ：駆動トランジスタＴＲDのゲート電極（第１ノードＮＤ1）に印加する基準電圧
・・・０ボルト
ＶCC-H ：発光部ＥＬＰに電流を流すための駆動電圧
・・・２０ボルト
ＶCC-L ：駆動トランジスタＴＲDの他方のソース／ドレイン領域（第２ノードＮＤ2）の
電位を初期化するための初期化電圧
・・・−１０ボルト
Ｖth   ：駆動トランジスタＴＲDの閾値電圧
・・・３ボルト
ＶCat  ：発光部ＥＬＰのカソード電極に印加される電圧
・・・０ボルト
Ｖth-EL：発光部ＥＬＰの閾値電圧
・・・４ボルト
【００７７】
図５に示す［期間−ＴＰ（２）-1］は、例えば、前の表示フレームにおける動作であり、第（ｎ，ｍ）番目の表示素子１０が発光状態にある期間である。即ち、第（ｎ，ｍ）番目の画素を構成する表示素子１０における発光部ＥＬＰには駆動トランジスタを介してドレイン電流Ｉdsが流れている。第（ｎ，ｍ）番目の表示素子１０の発光状態は、第（ｍ＋ｍ’）行目に配列された表示素子１０の水平走査期間の開始直前まで継続される。
【００７８】
［期間−ＴＰ（２）0］の始期において、給電線ＰＳ１mの電圧が駆動電圧ＶCC-Hから初期化電圧ＶCC-Lに切り替えられ、［期間−ＴＰ（２）2］の終期までその状態が継続する。第（ｎ，ｍ）番目の表示素子１０は非発光状態にある。
【００７９】
［期間−ＴＰ（２）1］において、基準電圧ＶOfsとの差が駆動トランジスタＴＲDの閾値電圧を超える初期化電圧ＶCC-Lを給電線ＰＳ１mから駆動トランジスタＴＲDの一方のソース／ドレイン領域に印加し、走査線ＳＣＬmからの走査信号に基づいて導通状態とされた書込みトランジスタＴＲWを介してデータ線ＤＴＬnから駆動トランジスタＴＲDのゲート電極に基準電圧ＶOfsを印加し、以て、駆動トランジスタＴＲDのゲート電極の電位と駆動トランジスタＴＲDの他方のソース／ドレイン領域の電位とを初期化する。
【００８０】
［期間−ＴＰ（２）3］の始期において、給電線ＰＳ１mの電圧が基準電圧ＶOfsから駆動電圧ＶCC-Hに切り替えられる。
【００８１】
［期間−ＴＰ（２）3］及び［期間−ＴＰ（２）5］において、走査線ＳＣＬからの走査信号に基づいて導通状態とされた書込みトランジスタＴＲWを介してデータ線ＤＴＬnから駆動トランジスタＴＲDのゲート電極に基準電圧ＶOfsを印加した状態で、給電線ＰＳ１mから駆動電圧ＶCC-Hを駆動トランジスタＴＲDの一方のソース／ドレイン領域に印加し、以て、駆動トランジスタＴＲDの他方のソース／ドレイン領域の電位を基準電圧ＶOfsから駆動トランジスタＴＲDの閾値電圧を減じた電位に向かって近づける閾値電圧キャンセル処理を行う。
【００８２】
［期間−ＴＰ（２）7］において、走査線ＳＣＬmの走査信号に基づいて、表示素子１０の書込みトランジスタＴＲWを導通状態とする。データ線ＤＴＬnから書込みトランジスタＴＲWのゲート電極に映像信号電圧ＶSig_mを印加する。
【００８３】
駆動トランジスタＴＲDの一方のソース／ドレイン領域には電源部１００から駆動電圧ＶCC-Hが印加している状態で、駆動トランジスタＴＲDのゲート電極に映像信号電圧ＶSigを印加する。このため、図５に示すように、表示素子１０にあっては［期間−ＴＰ（２）7］において第２ノードＮＤ2の電位が変化する。具体的には、第２ノードＮＤ2の電位が上昇する。この電位の上昇量を符号ΔＶで表す。駆動トランジスタＴＲDのゲート電極とソース領域として働く他方のソース／ドレイン領域との間の電位差Ｖgsは、後述する式（５）によって与えられる。
【００８４】
［期間−ＴＰ（２）8］において、書込みトランジスタＴＲWが非導通状態とされる。表示素子１０にあっては、書込み処理によって容量部Ｃ1に映像信号電圧ＶSig_mに応じた電圧が保持されている。走査線からの走査信号は終了しているので、書込みトランジスタＴＲWは非導通状態となる。従って、映像信号電圧ＶSig_mの駆動トランジスタＴＲDのゲート電極への印加が停止されることによって、書込み処理によって容量部Ｃ1に保持された電圧の値に応じた電流が駆動トランジスタＴＲDを介して発光部ＥＬＰに流れて発光部ＥＬＰが発光する。
【００８５】
表示素子１０の動作について、より具体的に説明する。駆動トランジスタＴＲDの一方のソース／ドレイン領域に電源部１００から駆動電圧ＶCC-Hが印加された状態を維持しており、第１ノードＮＤ1は、データ線ＤＴＬnから電気的に切り離されている。従って、以上の結果として、第２ノードＮＤ2の電位は上昇する。
【００８６】
ここで、上述したとおり、駆動トランジスタＴＲDのゲート電極は浮遊状態にあり、しかも、容量部Ｃ1が存在するが故に、所謂ブートストラップ回路におけると同様の現象が駆動トランジスタＴＲDのゲート電極に生じ、第１ノードＮＤ1の電位も上昇する。その結果、駆動トランジスタＴＲDのゲート電極とソース領域として働く他方のソース／ドレイン領域との間の電位差Ｖgsは、式（５）の値を保持する。発光部ＥＬＰを流れる電流は、駆動トランジスタＴＲDのドレイン領域からソース領域へと流れるドレイン電流Ｉdsであるので、後述する式（６）によって与えれる。
【００８７】
そして、発光部ＥＬＰの発光状態を第（ｍ＋ｍ’−１）番目の水平走査期間まで継続する。この第（ｍ＋ｍ’−１）番目の水平走査期間の終期は、［期間−ＴＰ（２）-1］の終期に相当する。ここで、「ｍ’」は、１＜ｍ’＜Ｍの関係を満たし、本開示においては表示素子行ごとに独立して制御される。
【００８８】
発光部ＥＬＰは、［期間−ＴＰ（２）8］の始期から第（ｍ＋ｍ’）番目の水平走査期間Ｈm+m'の直前まで駆動され、この期間が発光期間となる。通常、閾値電圧キャンセル処理に要する期間は発光期間に対して充分短い期間であるので、実質的には、給電線ＰＳ１に駆動電圧ＶCC-Hが供給されている期間を発光期間として扱うことができる。
【００８９】
以上、表示装置１の基本的な動作の概要について説明した。
【００９０】
次いで、図６ないし図１３を参照して、表示装置１における本開示に固有の動作について詳しく説明する。
【００９１】
図６は、表示素子に対応する入力信号の階調と各画素行に対応した給電線における駆動電圧のデューティ比との関係を説明するための模式的な図である。図７は、図６に引き続き、表示素子に対応する入力信号の階調と各画素行に対応した給電線における駆動電圧のデューティ比との関係を説明するための模式的な図である。図８は、駆動電圧のデューティ比の切り替えによって、映像信号ＶＤSigの値を変更する必要がある表示素子を説明するための模式的な図である。図９は、給電線に印加される駆動電圧のデューティ比を説明するための模式的なグラフである。
【００９２】
図２を参照して説明したように、給電線ＰＳ１における駆動電圧のデューティ比は、給電線ＰＳ１に接続される表示素子１０に対応する入力信号ＤＴSigの最大階調値の検出結果に基づいて、給電線ＰＳ１毎に制御される。駆動電圧のデューティ比は、検出結果が「１２７」以下の場合には、上述した値Ｄ1（例えば４５［％］）に設定され、検出結果が「１２８」以上の場合には、上述した値Ｄ2（例えば９０［％］）に設定される。
【００９３】
従って、図６に示すように、例えば表示部２０における全ての表示素子１０において対応する入力信号ＤＴSigの階調値が「１２７」以下の場合には、給電線ＰＳ１1〜ＰＳ１Mの全てにおいて、駆動電圧のデューティ比が値Ｄ1となるように制御される。給電線ＰＳ１mにおける波形の例を、図９の上段に示す。
【００９４】
次いで、一部の表示素子１０に対応する入力信号ＤＴSigの階調値が「１２８」以上となったときの動作を説明する。
【００９５】
例えば、第（ｎ，ｍ）番目の表示素子１０に対応する入力信号ＤＴSigの階調値のみが「１２８」以上となった場合、図７にしめすように給電線ＰＳ１mについては、駆動電圧のデューティ比は値Ｄ2となる。給電線ＰＳ１mにおける波形の例を、図９の下段に示す。
【００９６】
これによって、第ｍ行目の表示素子１０の発光期間は、他の行の表示素子１０の発光期間に比べて概ね２倍となり、輝度も概ね２倍となる。従って、入力信号ＤＴSigの階調値と画像の輝度との間の線形性を保つ観点から、図８に示すように、第ｍ行の表示素子１０における映像信号ＶＤSigの値を好適に変更する必要が生ずる。
【００９７】
表示装置１において、駆動電圧のデューティ比が値Ｄ1であって入力信号ＤＴSigの階調値が０〜１２７の場合には、映像信号ＶＤSigの値が入力信号ＤＴSigの階調値と一致するように制御される。
【００９８】
ここで、入力信号ＤＴSigの階調値に対して輝度が線形に変化するようにするためにデューティ比が値Ｄ2に設定された状態における映像信号ＶＤSigの値を入力信号ＤＴSigの階調値×Ｄ1／Ｄ2といった式で単純に決定すると、支障を生ずる。以下、図１０ないし図１２を参照して説明する。
【００９９】
図１０Ａは、給電線の電位と、第２ノードの電位と、駆動トランジスタを流れるドレイン電流の関係を説明するための模式図である。図１０Ｂ、図１０Ｃ及び図１０Ｄは、図１０Ａに示す期間Ａ、期間Ｂ及び期間Ｃにおけるドレイン電流の流れを説明するための模式図である。
【０１００】
図１０Ａないし図１０Ｄを参照して、給電線ＰＳ１の電位と、第２ノードＮＤ2の電位と、駆動トランジスタＴＲDを流れるドレイン電流Ｉdsとの関係を説明する。
【０１０１】
図１０Ａに示すように、給電線ＰＳ１mの電位が初期化電圧ＶCC-Lから駆動電圧ＶCC-Hに切り替わると、図５を参照して説明した［期間−ＴＰ（２）7］の後、駆動トランジスタＴＲDにドレイン電流Ｉdsが流れる。従って、書込み処理終了後、第２ノードＮＤ2の電位は上昇する。
【０１０２】
このとき、第２ノードＮＤ2の電位が、発光部ＥＬＰの閾値電圧Ｖth-ELを超えない［期間Ａ］にあっては、ドレイン電流Ｉdsは専ら発光部ＥＬＰの容量ＣELに流れ込む（図１０Ｂ参照）。尚、符号ＩCはドレイン電流Ｉdsのうち容量ＣELに流れ込む電流を示し、符号ＩEはドレイン電流Ｉdsのうち発光部ＥＬＰに流れる電流を示す。そして、第２ノードＮＤ2の電位が、発光部ＥＬＰの閾値電圧Ｖth-ELを超えた後に一定値に達するまでの［期間Ｂ］にあっては、ドレイン電流Ｉdsは、容量ＣELに流れ込むと共に、発光部ＥＬＰにも流れる（図１０Ｃ参照）。従って、［期間Ａ］は「発光部が発光を開始するまでの期間」となる。更に、第２ノードＮＤ2の電位が一定値に達した後の［期間Ｃ］にあっては、ドレイン電流Ｉdsは、専ら発光部ＥＬＰに流れる（図１０Ｄ参照）。容量ＣELに流れ込む電流ＩCは、発光に寄与しない。従って、ドレイン電流Ｉdsのうち発光に寄与する部分（電荷量）は、図１０Ａのハッチングを施した部分である。
【０１０３】
図１１Ａは、給電線に印加される駆動電圧のデューティ比がＤ1［％]であるときの給電線の電位と、第２ノードの電位と、駆動トランジスタを流れるドレイン電流の関係を説明するための模式図である。図１１Ｂは、給電線に印加される駆動電圧のデューティ比がＤ2［％]であるときの給電線の電位と、第２ノードの電位と、駆動トランジスタを流れるドレイン電流の関係を説明するための模式図である。
【０１０４】
この場合、図１１Ａに対し図１１Ｂは駆動電圧のデューティ比が２倍となる。しかしながら、［期間Ａ］や［期間Ｂ］の存在により、図１１Ａの動作状態における輝度に対して図１１Ｂの動作状態における輝度は、駆動電圧のデューティ比が２倍になるからといって、そのまま単純に２倍とはならない。
【０１０５】
従って、デューティ比が値Ｄ2に設定された状態における映像信号ＶＤSigの値を入力信号ＤＴSigの階調値×Ｄ1／Ｄ2といった式で単純に決定すると、入力信号ＤＴSigの階調値と表示される画像の輝度との線形性が損なわれる場合がある。
【０１０６】
また、上述した［期間Ａ］や［期間Ｂ］の長さは、駆動トランジスタに流れるドレイン電流の値によっても左右される。
【０１０７】
図１２は、給電線に印加される駆動電圧のデューティ比が一定であるときに、明るい画像を表示するときの第２ノードの電位および駆動トランジスタを流れるドレイン電流の関係、並びに、暗い画像を表示するときの第２ノードの電位および駆動トランジスタを流れるドレイン電流の関係を説明するための模式図である。
【０１０８】
上述した［期間Ａ］の長さは、発光部ＥＬＰの容量ＣELに流れ込むドレイン電流によって、容量ＣELの両端の電位差が発光部ＥＬＰの閾値電圧Ｖth-ELを超えるまでの長さで与えられる。
【０１０９】
図５等を参照して後で詳しく説明するが、［期間Ａ］の始期において、第２ノードの電位は（ＶOfs−Ｖth）である。従って、発光部ＥＬＰのカソードに印加される電圧ＶCatが０［ボルト］であれば、［期間Ａ］、即ち、「発光部が発光を開始するまでの期間」の長さは、これを符号ＴAで表せば、ＴA＝{Ｖth-EL−（ＶOfs−Ｖth）}・ＣEL／Ｉdsといった式で与えられる。この式から明らかなように、「発光部が発光を開始するまでの期間」の長さＴAは、発光部ＥＬＰに流される電流の値によって変化する。
【０１１０】
長さＴAは、場合によっては、数ミリ秒に及ぶことがある。従って、特に表示装置のリフレッシュレートを高く設定した場合などにあっては、１フレーム期間に対して無視することができない値となる。
【０１１１】
表示装置１にあっては、駆動電圧のデューティ比の値と入力信号ＤＴSigの値とに対応した映像信号ＶＤSigの値は、発光部が発光を開始するまでの期間の長さが発光部に流される電流の値によって変化することによる影響を補償するように設定されている。
【０１１２】
即ち、図２に示す映像信号値テーブル格納部には、駆動電圧のデューティ比の値と入力信号ＤＴSigの値とに対応し、更には、発光部が発光を開始するまでの期間の長さが発光部に流される電流の値によって変化することによる影響を補償するように定めた映像信号ＶＤSigの値が格納されている。
【０１１３】
図１３は、映像信号値テーブル格納部に格納されているデータを説明するための模式的な表である。
【０１１４】
図において、例えば［Ｄａｔａ（Ｄ2、１２７）］は、駆動電圧のデューティ比が値Ｄ2であるときに、画面の輝度が階調値「１２７」に対応するように定められた映像信号ＶＤSigの値を示し、［Ｄａｔａ（Ｄ2、２５５）］は、駆動電圧のデューティ比が値Ｄ2であるときに、画面の輝度が階調値「２５５」に対応するように定められた映像信号ＶＤSigの値を示す。他についても同様である。
【０１１５】
これらの値は、デューティ比の値Ｄ1，Ｄ2や、「発光部が発光を開始するまでの期間」の長さＴAを用いて得ることができる。
【０１１６】
デューティ比が値Ｄ1であって、発光部ＥＬＰにドレイン電流Ｉds_D1が流れ、そのときの「発光部が発光を開始するまでの期間」の長さがＴA_D1である場合の画像の輝度と同じ輝度を、デューティ比が値Ｄ2の場合に再現しようとすれば、デューティ比が値Ｄ2のときのドレイン電流を符号Ｉds_D2、「発光部が発光を開始するまでの期間」の長さを符号ＴA_D2と表せば、
Ｉds_D2＝Ｉds_D1×{（Ｄ1／１００）−（ＴA_D1／ＦＲ)}／{（Ｄ2／１００）−（ＴA_D2／ＦＲ)}
といった条件を満たせば、デューティ比が値Ｄ2の場合において略同様の輝度で画像が表示される。従って、このドレイン電流Ｉds_D2を流すための映像信号ＶＤSigの値を選択すればよい。
【０１１７】
あるいは又、実測によって適宜好適な映像信号ＶＤSigの値を選択して得ることもできる。実測による選択によれば、結果として、図１０における［期間Ｂ］の影響も補償される。
【０１１８】
表示装置１によれば、或る程度の輝度を表示すべき表示素子を含む行を除き、駆動電圧のデューティ比が相対的に小さく設定される。また、或る程度の輝度を表示すべき表示素子を含む行のデューティ比が相対的に大きくすることで、駆動電圧を高く設定することなく必要な輝度の表示を行うことができる。従って、駆動電圧をより高く設定することなく、動画ボケの軽減を図りつつ画像の輝度も高く表示することができる。
【０１１９】
次いで、第１の実施形態の変形例について説明する。
【０１２０】
図１４は、第１の実施形態の変形例における、表示素子に対応する入力信号の階調と各画素行に対応した給電線における駆動電圧のデューティ比との関係を説明するための模式的な図である。
【０１２１】
図８に示す例では、第ｍ行の表示素子１０に接続される給電線ＰＳ１mについてのみ、駆動電圧のデューティ比が値Ｄ2とされた。この場合、隣接する行とのデューティ比の差が顕著となって、画質に違和感を生ずるといったことが考えられる。
【０１２２】
そこで、変形例にあっては、最大階調値が所定の基準値を超える行の周辺が最大階調値が所定の基準値を超えない行で占められている場合に、制御部は、最大階調値が所定の基準値を超える行の周辺行における駆動電圧のデューティ比を最大階調値が所定の基準値を超える行に近づくほど所定の値Ｄ1に近づけるように制御し併せて表示素子１０に対応した映像信号ＶＤSigの値を制御する。
【０１２３】
図１４に示す例では、第ｍ行については駆動電圧のデューティ比が値Ｄ2に設定され、第（ｍ−１）行および第（ｍ＋１）行についてはデューティ比が値Ｄ3（例えば７５［％］）に設定され、第（ｍ−２）行および第（ｍ−３）行ならびに第（ｍ＋２）行および第（ｍ＋３）行についてはデューティ比が値Ｄ4（例えば６０［％］）に設定され、他はデューティ比が値Ｄ1（例えば４５［％］）に設定される。
【０１２４】
図１５は、変形例の表示装置に用いられる制御部の構成および動作を説明するための模式的なブロック図である。
【０１２５】
変形例における表示装置の概念図は、図１において制御部１１０を制御部２１０と読み替えればよい。
【０１２６】
上述した制御部１１０と同様に、制御部２１０にも、表示すべき画像に応じた入力信号ＤＴSigが例えば図示せぬ装置から入力される。制御部２１０は、入力信号ＤＴSigに基づいて、電源部１００の動作を制御するためのデューティ設定信号ＤＵＲと映像信号ＶＤSigを出力する。
【０１２７】
制御部２１０は、フレームバッファ部２１１、各行最大階調値検出部２１２、各行デューティ比設定部２１３、映像信号値設定部２１４および映像信号値テーブル格納部２１５から構成されている。
【０１２８】
制御部２１０に入力される入力信号ＤＴSig(1,1)〜ＤＴSig(N,M)は、フレームバッファ部２１１に保持される。各行最大階調値検出部２１２は、フレームバッファ部２１１に保持された値に基づいて、各行における最大階調値を検出する。
【０１２９】
各行デューティ比設定部２１３は、各行最大階調値検出部２１２の検出結果に基づいて、第１行ないし第Ｍ行における駆動電圧のデューティ比を設定する。
【０１３０】
基本的には、制御部１１０と同様に、駆動電圧のデューティ比を、最大階調値が所定の基準値以下の場合には所定の値Ｄ1に設定し、最大階調値が所定の基準値を超える場合には値Ｄ1よりも大きい所定の値Ｄ2に設定する。但し、最大階調値が所定の基準値を超える行の周辺が最大階調値が所定の基準値を超えない行で占められている場合に、制御部２１０は、最大階調値が所定の基準値を超える行の周辺行における駆動電圧のデューティ比を最大階調値が所定の基準値を超える行に近づくほど所定の値Ｄ1に近づけるように設定する。そして、各行デューティ比設定部２１３は、電源部１００に、給電線ＰＳ１1〜ＰＳ１Mにおける駆動電圧のデューティ比を制御するためのデューティ設定信号ＤＵＲ1〜ＤＵＲMを供給する。
【０１３１】
映像信号値設定部２１４は、各行デューティ比設定部２１３によって設定された駆動電圧のデューティ比とフレームバッファ部２１１に保持された入力信号ＤＴSigの値とに基づいて映像信号ＶＤSigの値を設定することで、各行の表示素子１０のそれぞれに対応した映像信号ＶＤSigの値を制御する。
【０１３２】
映像信号値テーブル格納部２１５には、駆動電圧のデューティ比の値と入力信号ＤＴSigの値とに対応した映像信号ＶＤSigの値がテーブルとして格納されている。映像信号値設定部２１４は、各行デューティ比設定部２１３からの情報とフレームバッファ部からの情報に基づいて、映像信号値テーブル格納部２１５を順次参照して、映像信号ＶＤSig(1,1)〜ＶＤSig(N,M)を設定し、且つ、信号出力部１０２に供給する。
【０１３３】
図１６は、映像信号値テーブル格納部に格納されているデータを説明するための模式的な表である。
【０１３４】
図１３において説明したと同様に、例えば［Ｄａｔａ（Ｄ3、０）］は、駆動電圧のデューティ比が値Ｄ3であるときに、画面の輝度が階調値「０」に対応するように定められた映像信号ＶＤSigの値を示し、［Ｄａｔａ（Ｄ3、１２７）］は、駆動電圧のデューティ比が値Ｄ3であるときに、画面の輝度が階調値「１２７」に対応するように定められた映像信号ＶＤSigの値を示す。他についても同様である。
【０１３５】
以上、第１の実施形態の変形例について説明した。
【０１３６】
次いで、第１の実施形態およびその変形例について共通する表示装置全体の動作の詳細を、図５、図１７の（Ａ）及び（Ｂ）、図１８の（Ａ）及び（Ｂ）、図１９の（Ａ）及び（Ｂ）、図２０の（Ａ）及び（Ｂ）、図２１の（Ａ）及び（Ｂ）、並びに、図２２を参照して詳細に説明する。
【０１３７】
［期間−ＴＰ（２）-1］（図５、図１７の（Ａ）参照）
この［期間−ＴＰ（２）-1］は、例えば、前の表示フレームにおける動作であり、前回の各種の処理完了後に第（ｎ，ｍ）番目の表示素子１０が発光状態にある期間である。即ち、第（ｎ，ｍ）番目の画素を構成する表示素子１０における発光部ＥＬＰには、後述する式（５’）に基づくドレイン電流Ｉds’が流れており、第（ｎ，ｍ）番目の画素を構成する表示素子１０の輝度は、係るドレイン電流Ｉds’に対応した値である。ここで、書込みトランジスタＴＲWは非導通状態であり、駆動トランジスタＴＲDは導通状態である。第（ｎ，ｍ）番目の表示素子１０の発光状態は、第（ｍ＋ｍ’）行目に配列された表示素子１０の水平走査期間の開始直前まで継続される。
【０１３８】
上述したように、各水平走査期間に対応して、データ線ＤＴＬnには、基準電圧ＶOfsと映像信号電圧ＶSigとが供給される。しかしながら、書込みトランジスタＴＲWは非導通状態であるので、［期間−ＴＰ（２）-1］においてデータ線ＤＴＬnの電位（電圧）が変化しても、第１ノードＮＤ1と第２ノードＮＤ2の電位は変化しない（実際には、寄生容量等の静電結合による電位変化が生じ得るが、通常、これらは無視することができる）。後述する［期間−ＴＰ（２）0］においても同様である。
【０１３９】
図５に示す［期間−ＴＰ（２）0］〜［期間−ＴＰ（２）6］は、前回の各種の処理完了後の発光状態が終了した後から、次の書込み処理が行われる直前までの動作期間である。［期間−ＴＰ（２）0］〜［期間−ＴＰ（２）7］において、第（ｎ，ｍ）番目の表示素子１０は原則として非発光状態にある。図５に示すように、［期間−ＴＰ（２）5］、［期間−ＴＰ（２）6］及び［期間−ＴＰ（２）7］は第ｍ番目の水平走査期間Ｈmに包含される。
【０１４０】
また、［期間−ＴＰ（２）3］及び［期間−ＴＰ（２）5］において、走査線ＳＣＬからの走査信号に基づいて導通状態とされた書込みトランジスタＴＲWを介してデータ線ＤＴＬnから駆動トランジスタＴＲDのゲート電極に基準電圧ＶOfsを印加した状態で、給電線ＰＳ１から駆動電圧ＶCC-Hを駆動トランジスタＴＲDの一方のソース／ドレイン領域に印加し、以て、駆動トランジスタＴＲDの他方のソース／ドレイン領域の電位を基準電圧ＶOfsから駆動トランジスタＴＲDの閾値電圧を減じた電位に向かって近づける閾値電圧キャンセル処理を行う。
【０１４１】
以下の説明においては、閾値電圧キャンセル処理を複数の水平走査期間、より具体的には、第（ｍ−１）番目の水平走査期間Ｈm-1と第ｍ番目の水平走査期間Ｈmにおいて行うとして説明するが、これに限定するものではない。
【０１４２】
また、［期間−ＴＰ（２）1］において、基準電圧ＶOfsとの差が駆動トランジスタＴＲDの閾値電圧を超える初期化電圧ＶCC-Lを給電線ＰＳ１から駆動トランジスタＴＲDの一方のソース／ドレイン領域に印加し、走査線ＳＣＬmからの走査信号に基づいて導通状態とされた書込みトランジスタＴＲWを介してデータ線ＤＴＬnから駆動トランジスタＴＲDのゲート電極に基準電圧ＶOfsを印加し、以て、駆動トランジスタＴＲDのゲート電極の電位と駆動トランジスタＴＲDの他方のソース／ドレイン領域の電位とを初期化する。
【０１４３】
図５において、［期間−ＴＰ（２）1］は、第（ｍ−２）番目の水平走査期間Ｈm-2における基準電圧期間（データ線ＤＴＬに基準電圧ＶOfsが印加される期間）に一致し、［期間−ＴＰ（２）3］は、第（ｍ−１）番目の水平走査期間Ｈm-1における基準電圧期間に一致し、［期間−ＴＰ（２）5］は、第ｍ番目の水平走査期間Ｈmにおける基準電圧期間に一致するとする。
【０１４４】
引き続き、図５等を参照して、［期間−ＴＰ（２）0］〜［期間−ＴＰ（２）8］の各期間の動作について説明する。
【０１４５】
［期間−ＴＰ（２）0］（図５、図１７の（Ｂ）参照）
この［期間−ＴＰ（２）0］は、例えば、前の表示フレームから現表示フレームにおける動作である。即ち、この［期間−ＴＰ（２）0］は、前の表示フレームにおける第（ｍ＋ｍ’）番目の水平走査期間Ｈm+m'の始期から、現表示フレームにおける第（ｍ−３）番目の水平走査期間の終期までの期間である。そして、この［期間−ＴＰ（２）0］において、第（ｎ，ｍ）番目の表示素子１０は、原則として非発光状態にある。［期間−ＴＰ（２）0］の始期において、電源部１００から給電線ＰＳ１mに供給する電圧を駆動電圧ＶCC-Hから初期化電圧ＶCC-Lに切り替える。その結果、第２ノードＮＤ2の電位はＶCC-Lまで低下し、発光部ＥＬＰのアノード電極とカソード電極との間に逆方向電圧が印加され、発光部ＥＬＰは非発光状態となる。また、第２ノードＮＤ2の電位低下に倣うように、浮遊状態の第１ノードＮＤ1（駆動トランジスタＴＲDのゲート電極）の電位も低下する。
【０１４６】
［期間−ＴＰ（２）1］（図５、図１８の（Ａ）参照）
そして、現表示フレームにおける第（ｍ−２）番目の水平走査期間Ｈm-2が開始する。この［期間−ＴＰ（２）1］において、走査線ＳＣＬmをハイレベルとして表示素子１０の書込みトランジスタＴＲWを導通状態とする。信号出力部１０２からデータ線ＤＴＬnに供給される電圧は基準電圧ＶOfsである。その結果、第１ノードＮＤ1の電位は、ＶOfs（０ボルト）となる。電源部１００の動作に基づき、給電線ＰＳ１mから初期化電圧ＶCC-Lを第２ノードＮＤ2に印加しているので、第２ノードＮＤ2の電位はＶCC-L（−１０ボルト）を保持する。
【０１４７】
第１ノードＮＤ1と第２ノードＮＤ2との間の電位差は１０ボルトであり、駆動トランジスタＴＲDの閾値電圧Ｖthは３ボルトであるので、駆動トランジスタＴＲDは導通状態である。尚、第２ノードＮＤ2と発光部ＥＬＰに備えられたカソード電極との間の電位差は−１０ボルトであり、発光部ＥＬＰの閾値電圧Ｖth-ELを超えない。これにより、第１ノードＮＤ1の電位及び第２ノードＮＤ2の電位が初期化される。
【０１４８】
［期間−ＴＰ（２）2］（図５、図１８の（Ｂ）参照）
この［期間−ＴＰ（２）2］において走査線ＳＣＬmをローレベルとする。表示素子１０の書込みトランジスタＴＲWは非導通状態となる。第１ノードＮＤ1及び第２ノードＮＤ2の電位は、基本的には従前の状態を維持する。
【０１４９】
［期間−ＴＰ（２）3］（図５、図１９の（Ａ）参照）
この［期間−ＴＰ（２）3］において、第１回目の閾値電圧キャンセル処理を行う。走査線ＳＣＬmをハイレベルとし表示素子１０の書込みトランジスタＴＲWを導通状態とする。信号出力部１０２からデータ線ＤＴＬnに供給される電圧は基準電圧ＶOfsである。第１ノードＮＤ1の電位は、ＶOfs（０ボルト）である。
【０１５０】
次いで、電源部１００から給電線ＰＳ１mに供給される電圧を、電圧ＶCC-Lから駆動電圧ＶCC-Hに切り替える。その結果、第１ノードＮＤ1の電位は変化しないが（ＶOfs＝０ボルトを維持）、基準電圧ＶOfsから駆動トランジスタＴＲDの閾値電圧Ｖthを減じた電位に向かって、第２ノードＮＤ2の電位は変化する。即ち、第２ノードＮＤ2の電位が上昇する。
【０１５１】
この［期間−ＴＰ（２）3］が充分長ければ、駆動トランジスタＴＲDのゲート電極と他方のソース／ドレイン領域との間の電位差がＶthに達し、駆動トランジスタＴＲDは非導通状態となる。即ち、第２ノードＮＤ2の電位が（ＶOfs−Ｖth）に近づき、最終的に（ＶOfs−Ｖth）となる。しかしながら、図５に示す例では、［期間−ＴＰ（２）3］の長さは、第２ノードＮＤ2の電位を充分変化させるには足りない長さであり、［期間−ＴＰ（２）3］の終期において、第２ノードＮＤ2の電位は、ＶCC-L＜Ｖ1＜（ＶOfs−Ｖth）という関係を満たす或る電位Ｖ1に達する。
【０１５２】
［期間−ＴＰ（２）4］（図５、図１９の（Ｂ）参照）
この［期間−ＴＰ（２）4］においては、走査線ＳＣＬmをローレベルとし、表示素子１０の書込みトランジスタＴＲWは非導通状態となる。その結果、第１ノードＮＤ1は浮遊状態となる。
【０１５３】
電源部１００から駆動トランジスタＴＲDの一方のソース／ドレイン領域に駆動電圧ＶCC-Hが印加されているので、第２ノードＮＤ2の電位は、電位Ｖ1から或る電位Ｖ2に上昇する。一方、駆動トランジスタＴＲDのゲート電極は浮遊状態であり、容量部Ｃ1が存在するが故に、ブートストラップ動作が駆動トランジスタＴＲDのゲート電極に生ずる。従って、第１ノードＮＤ1の電位は、第２ノードＮＤ2の電位変化に倣って上昇する。
【０１５４】
次の［期間−ＴＰ（２）5］における動作の前提として、［期間−ＴＰ（２）5］の始期において、第２ノードＮＤ2の電位が（ＶOfs−Ｖth）よりも低いことが必要となる。［期間−ＴＰ（２）4］の長さは、基本的には、Ｖ2＜（ＶOfs-L−Ｖth）の条件を満たすように決定されている。
【０１５５】
［期間−ＴＰ（２）5］（図５、図２０の（Ａ）及び（Ｂ）参照）
この［期間−ＴＰ（２）5］において、第２回目の閾値電圧キャンセル処理を行う。走査線ＳＣＬmからの走査信号に基づいて、表示素子１０の書込みトランジスタＴＲWを導通状態とする。信号出力部１０２からデータ線ＤＴＬnに供給される電圧は基準電圧ＶOfsである。第１ノードＮＤ1の電位は、ブートストラップ動作によって上昇した電位から、再度ＶOfs（０ボルト）となる（図２０の（Ａ）参照）。
【０１５６】
ここで、容量部Ｃ1の値を値ｃ1とし、発光部ＥＬＰの容量ＣELの値を値ｃELとする。そして、駆動トランジスタＴＲDのゲート電極と他方のソース／ドレイン領域との間の寄生容量の値をｃgsとする。第１ノードＮＤ1と第２ノードＮＤ2との間の容量値を符号ｃAで表せば、ｃA＝ｃ1＋ｃgsである。また、第２ノードＮＤ2と第２の給電線ＰＳ２との間の容量値を符号ｃBと表せば、ｃB＝ｃELである。尚、発光部ＥＬＰの両端に、追加の容量部が並列に接続されている構成であってもよいが、その場合には、ｃBには更に追加の容量部の容量値が加算される。
【０１５７】
第１ノードＮＤ1の電位が変化すると、第１ノードＮＤ1と第２ノードＮＤ2との間の電位も変化する。即ち、第１ノードＮＤ1の電位の変化分に基づく電荷が、第１ノードＮＤ1と第２ノードＮＤ2との間の容量値と、第２ノードＮＤ2と第２の給電線ＰＳ２との間の容量値に応じて、振り分けられる。然るに、値ｃb（＝ｃEL）が、値ｃA（＝ｃ1＋ｃgs）と比較して充分に大きな値であれば、第２ノードＮＤ2の電位の変化は小さい。そして、一般に、発光部ＥＬＰの容量ＣELの値ｃELは、容量部Ｃ1の値ｃ1及び駆動トランジスタＴＲDの寄生容量の値ｃgsよりも大きい。以下、第１ノードＮＤ1の電位変化により生ずる第２ノードＮＤ2の電位変化は考慮せずに説明を行う。尚、図５に示した駆動のタイミングチャートにおいては、第１ノードＮＤ1の電位変化により生ずる第２ノードＮＤ2の電位変化を考慮せずに示した。
【０１５８】
電源部１００から駆動トランジスタＴＲDの一方のソース／ドレイン領域に駆動電圧ＶCC-Hが印加されているので、基準電圧ＶOfsから駆動トランジスタＴＲDの閾値電圧Ｖthを減じた電位に向かって、第２ノードＮＤ2の電位は変化する。即ち、第２ノードＮＤ2の電位は、電位Ｖ2から上昇し、基準電圧ＶOfsから駆動トランジスタＴＲDの閾値電圧Ｖthを減じた電位に向かって変化する。そして、駆動トランジスタＴＲDのゲート電極と他方のソース／ドレイン領域との間の電位差がＶthに達すると、駆動トランジスタＴＲDが非導通状態となる（図２０の（Ｂ）参照）。この状態にあっては、第２ノードＮＤ2の電位は、概ね（ＶOfs−Ｖth）である。ここで、以下の式（３）が保証されていれば、云い換えれば、式（３）を満足するように電位を選択、決定しておけば、発光部ＥＬＰが発光することはない。
【０１５９】
（ＶOfs−Ｖth）＜（Ｖth-EL＋ＶCat）    （３）
【０１６０】
この［期間−ＴＰ（２）5］にあっては、第２ノードＮＤ2の電位は、最終的に、（ＶOfs−Ｖth）となる。即ち、駆動トランジスタＴＲDの閾値電圧Ｖth、及び、基準電圧ＶOfsのみに依存して、第２ノードＮＤ2の電位は決定される。そして、発光部ＥＬＰの閾値電圧Ｖth-ELとは無関係である。［期間−ＴＰ（２）5］の終期において、走査線ＳＣＬmからの走査信号に基づいて、書込みトランジスタＴＲWを導通状態から非導通状態とする。
【０１６１】
［期間−ＴＰ（２）6］（図５、図２１の（Ａ）参照）
書込みトランジスタＴＲWの非導通状態を維持した状態で、信号出力部１０２からデータ線ＤＴＬnの一端に基準電圧ＶOfsに替えて映像信号電圧ＶSig_mが供給される。［期間−ＴＰ（２）5］において駆動トランジスタＴＲDが非導通状態に達しているとすれば、実質上、第１ノードＮＤ1と第２ノードＮＤ2の電位は変化しない（実際には、寄生容量等の静電結合による電位変化が生じ得るが、通常、これらは無視することができる）。尚、［期間−ＴＰ（２）5］で行う閾値電圧キャンセル処理において駆動トランジスタＴＲDが非導通状態に達していない場合には、［期間−ＴＰ（２）6］においてブートストラップ動作が生じ、第１ノードＮＤ1と第２ノードＮＤ2の電位は多少上昇する。
【０１６２】
［期間−ＴＰ（２）7］（図５、図２１の（Ｂ）参照）
この［期間−ＴＰ（２）7］において、走査線ＳＣＬmの走査信号に基づいて、表示素子１０の書込みトランジスタＴＲWを導通状態とする。データ線ＤＴＬnから書込みトランジスタＴＲWのゲート電極に映像信号電圧ＶSig_mを印加する。
【０１６３】
上述した書込み処理にあっては、駆動トランジスタＴＲDの一方のソース／ドレイン領域には電源部１００から駆動電圧ＶCC-Hが印加している状態で、駆動トランジスタＴＲDのゲート電極に映像信号電圧ＶSigを印加する。このため、図５に示すように、表示素子１０にあっては［期間−ＴＰ（２）7］において第２ノードＮＤ2の電位が変化する。具体的には、第２ノードＮＤ2の電位が上昇する。この電位の上昇量を符号ΔＶで表す。
【０１６４】
駆動トランジスタＴＲDのゲート電極（第１ノードＮＤ1）の電位をＶg、駆動トランジスタＴＲDの他方のソース／ドレイン領域（第２ノードＮＤ2）の電位をＶsとしたとき、上述した第２ノードＮＤ2の電位の上昇を考慮しなければ、Ｖgの値、Ｖsの値は以下のとおりとなる。第１ノードＮＤ1と第２ノードＮＤ2の電位差、即ち、駆動トランジスタＴＲDのゲート電極とソース領域として働く他方のソース／ドレイン領域との間の電位差Ｖgsは、以下の式（４）で表すことができる。
【０１６５】
Ｖg ＝ＶSig_m
Ｖs ≒ＶOfs−Ｖth
Ｖgs≒ＶSig_m−（ＶOfs−Ｖth）      （４）
【０１６６】
即ち、駆動トランジスタＴＲDに対する書込み処理において得られたＶgsは、発光部ＥＬＰにおける輝度を制御するための映像信号電圧ＶSig_m、駆動トランジスタＴＲDの閾値電圧Ｖth、及び、基準電圧ＶOfsのみに依存している。そして、発光部ＥＬＰの閾値電圧Ｖth-ELとは無関係である。
【０１６７】
次いで、上述した第２ノードＮＤ2の電位の上昇量（ΔＶ）について説明する。上述した駆動方法にあっては、表示素子１０の駆動トランジスタＴＲDの一方のソース／ドレイン領域に駆動電圧ＶCC-Hを印加している状態で書込み処理を行う。これにより、表示素子１０の駆動トランジスタＴＲDの他方のソース／ドレイン領域の電位を変化させる移動度補正処理が併せて行われる。
【０１６８】
駆動トランジスタＴＲDを薄膜トランジスタ等から作製した場合、トランジスタ間で移動度μにばらつきが生ずることは避け難い。従って、移動度μに差異がある複数の駆動トランジスタＴＲDのゲート電極に同じ値の映像信号電圧ＶSigを印加したとしても、移動度μの大きい駆動トランジスタＴＲDを流れるドレイン電流Ｉdsと、移動度μの小さい駆動トランジスタＴＲDを流れるドレイン電流Ｉdsとの間に、差異が生じてしまう。そして、このような差異が生ずると、表示装置１の画面の均一性（ユニフォーミティ）が損なわれてしまう。
【０１６９】
上述した駆動方法にあっては、駆動トランジスタＴＲDの一方のソース／ドレイン領域には電源部１００から駆動電圧ＶCC-Hが印加された状態で、駆動トランジスタＴＲDのゲート電極に映像信号電圧ＶSigが印加される。このため、図５に示すように、書込み処理において第２ノードＮＤ2の電位が上昇する。駆動トランジスタＴＲDの移動度μの値が大きい場合、駆動トランジスタＴＲDの他方のソース／ドレイン領域における電位（即ち、第２ノードＮＤ2の電位）の上昇量ΔＶ（電位補正値）は大きくなる。逆に、駆動トランジスタＴＲDの移動度μの値が小さい場合、駆動トランジスタＴＲDの他方のソース／ドレイン領域における電位の上昇量ΔＶは小さくなる。ここで、駆動トランジスタＴＲDのゲート電極とソース領域として働く他方のソース／ドレイン領域との間の電位差Ｖgsは、式（４）から以下の式（５）のように変形される。
【０１７０】
Ｖgs≒ＶSig_m−（ＶOfs−Ｖth）−ΔＶ      （５）
【０１７１】
尚、映像信号電圧ＶSigの書込みを行う走査信号の期間の長さは、表示素子１０や表示装置１の設計に応じて決定すればよい。また、このときの駆動トランジスタＴＲDの他方のソース／ドレイン領域における電位（ＶOfs−Ｖth＋ΔＶ）が以下の式（３’）を満足するように、走査信号の期間の長さは決定されているとする。
【０１７２】
表示素子１０にあっては、［期間−ＴＰ（２）7］において発光部ＥＬＰが発光することはない。この移動度補正処理によって、係数ｋ（≡（１／２）・（Ｗ／Ｌ）・Ｃox）のばらつきの補正も同時に行われる。
【０１７３】
（ＶOfs−Ｖth＋ΔＶ）＜（Ｖth-EL＋ＶCat）    （３’）
【０１７４】
［期間−ＴＰ（２）8］（図５、及び、図２２参照）
駆動トランジスタＴＲDの一方のソース／ドレイン領域に電源部１００から駆動電圧ＶCC-Hが印加された状態を維持する。表示素子１０にあっては、書込み処理によって容量部Ｃ1に映像信号電圧ＶSig_mに応じた電圧が保持されている。走査線からの走査信号は終了しているので、書込みトランジスタＴＲWは非導通状態となる。従って、映像信号電圧ＶSig_mの駆動トランジスタＴＲDのゲート電極への印加が停止されることによって、書込み処理によって容量部Ｃ1に保持された電圧の値に応じた電流が駆動トランジスタＴＲDを介して発光部ＥＬＰに流れて発光部ＥＬＰが発光する。
【０１７５】
表示素子１０の動作について、より具体的に説明する。駆動トランジスタＴＲDの一方のソース／ドレイン領域に電源部１００から駆動電圧ＶCC-Hが印加された状態を維持しており、第１ノードＮＤ1は、データ線ＤＴＬnから電気的に切り離されている。従って、以上の結果として、第２ノードＮＤ2の電位は上昇する。
【０１７６】
ここで、上述したとおり、駆動トランジスタＴＲDのゲート電極は浮遊状態にあり、しかも、容量部Ｃ1が存在するが故に、所謂ブートストラップ回路におけると同様の現象が駆動トランジスタＴＲDのゲート電極に生じ、第１ノードＮＤ1の電位も上昇する。その結果、駆動トランジスタＴＲDのゲート電極とソース領域として働く他方のソース／ドレイン領域との間の電位差Ｖgsは、式（５）の値を保持する。
【０１７７】
また、第２ノードＮＤ2の電位が上昇し、（Ｖth-EL＋ＶCat）を超えるので、発光部ＥＬＰは発光を開始する。このとき、発光部ＥＬＰを流れる電流は、駆動トランジスタＴＲDのドレイン領域からソース領域へと流れるドレイン電流Ｉdsであるので、式（１）で表すことができる。ここで、式（１）と式（５）から、式（１）は、以下の式（６）のように変形することができる。
【０１７８】
Ｉds＝ｋ・μ・（ＶSig_m−ＶOfs−ΔＶ）2    （６）
【０１７９】
従って、発光部ＥＬＰを流れる電流Ｉdsは、基準電圧ＶOfsを０ボルトに設定したとした場合、発光部ＥＬＰにおける輝度を制御するための映像信号電圧ＶSig_mの値から、駆動トランジスタＴＲDの移動度μに起因した電位補正値ΔＶの値を減じた値の２乗に比例する。云い換えれば、発光部ＥＬＰを流れる電流Ｉdsは、発光部ＥＬＰの閾値電圧Ｖth-EL、及び、駆動トランジスタＴＲDの閾値電圧Ｖthには依存しない。即ち、発光部ＥＬＰの発光量（輝度）は、発光部ＥＬＰの閾値電圧Ｖth-ELの影響、及び、駆動トランジスタＴＲDの閾値電圧Ｖthの影響を受けない。そして、第（ｎ，ｍ）番目を構成する表示素子１０の輝度は、係る電流Ｉdsに対応した値である。
【０１８０】
しかも、移動度μの大きな駆動トランジスタＴＲDほど電位補正値ΔＶが大きくなるので、式（５）の左辺のＶgsの値が小さくなる。従って、式（６）において、移動度μの値が大きくとも、（ＶSig_m−ＶOfs−ΔＶ）2の値が小さくなる結果、駆動トランジスタＴＲDの移動度μのばらつき（更には、ｋのばらつき）に起因するドレイン電流Ｉdsのばらつきを補正することができる。これにより、移動度μのばらつき（更には、ｋのばらつき）に起因する発光部ＥＬＰの輝度のばらつきを補正することができる。
【０１８１】
そして、発光部ＥＬＰの発光状態を第（ｍ＋ｍ’−１）番目の水平走査期間まで継続する。この第（ｍ＋ｍ’−１）番目の水平走査期間の終期は、［期間−ＴＰ（２）-1］の終期に相当する。ここで、「ｍ’」は、１＜ｍ’＜Ｍの関係を満たし、表示装置１において所定の値である。換言すれば、発光部ＥＬＰは、［期間−ＴＰ（２）8］の始期から第（ｍ＋ｍ’）番目の水平走査期間Ｈm+m'の直前まで駆動され、この期間が発光期間となる。
【０１８２】
以上、本開示の実施形態について具体的に説明したが、本開示は、上述の実施形態に限定されるものではなく、本開示の技術的思想に基づく各種の変形が可能である。例えば、上述の実施形態において挙げた数値、構造、基板、原料、プロセスなどはあくまでも例に過ぎず、必要に応じて、これらと異なる数値、構造、基板、原料、プロセスなどを用いてもよい。
【０１８３】
例えば駆動トランジスタをｐチャネル型トランジスタとする場合には、図２３のように駆動トランジスタと発光部ＥＬＰとの結線関係を入れ替えればよい。この回路においても、閾値電圧キャンセル処理、書込み処理およびブートストラップ動作を支障なく行うことができる。
【０１８４】
あるいは又、図２４に示すように、表示素子１０を構成する駆動回路１１が、第１ノードＮＤ1に接続された第１ノード初期化トランジスタＴＲND1を備えている構成であってもよい。第１ノード初期化トランジスタＴＲND1においては、一方のソース／ドレイン領域は、基準電圧ＶOfsが印加され、他方のソース／ドレイン領域は、第１ノードＮＤ1に接続されている。第１ノード初期化トランジスタＡＺを介して第１ノード初期化回路１０３からの信号が第１ノード初期化トランジスタＴＲND1のゲート電極に印加され、第１ノード初期化トランジスタＴＲND1のオン／オフ状態を制御する。これにより、第１ノードＮＤ1の電位を設定することができる。
【０１８５】
なお、本開示の技術は以下のような構成も取ることができる。
［１］
電流駆動型の発光部と発光部を駆動する駆動回路とを含む表示素子が行方向と列方向とに２次元マトリクス状に配列されて成る表示部、
表示素子の各行に対応して配された給電線に表示素子を駆動するための駆動電圧を供給する電源部、
表示素子の各列に対応して配されたデータ線に映像信号の値に応じた映像信号電圧を供給する信号出力部、及び、
表示すべき画像の入力信号に基づいて行方向に並ぶ表示素子に対応した入力信号における最大階調値を検出し、検出結果に基づいて、表示素子に対応する給電線に供給される駆動電圧のデューティ比を制御すると共に、駆動電圧のデューティ比と入力信号とに基づいて、各行の表示素子のそれぞれに対応した映像信号の値を制御する制御部、
を備えている表示装置。
［２］
駆動電圧のデューティ比の値と入力信号の値とに対応した映像信号の値は、発光部が発光を開始するまでの期間の長さが発光部に流される電流の値によって変化することによる影響を補償するように設定されている上記［１］に記載の表示装置。
［３］
制御部は、駆動電圧のデューティ比の値と入力信号の値とに対応した映像信号の値を格納した映像信号値テーブル格納部を備えている上記［１］または［２］に記載の表示装置。
［４］
制御部は、駆動電圧のデューティ比を、最大階調値が所定の基準値以下の場合には所定の値Ｄ1に設定し、最大階調値が所定の基準値を超える場合には値Ｄ1よりも大きい所定の値Ｄ2に設定する上記［１］ないし［３］のいずれかに記載の表示装置。［５］
最大階調値が所定の基準値を超える行の周辺が最大階調値が所定の基準値を超えない行で占められている場合に、制御部は、最大階調値が所定の基準値を超える行の周辺行における駆動電圧のデューティ比を最大階調値が所定の基準値を超える行に近づくほど所定の値Ｄ1に近づけるように制御し併せて表示素子に対応した映像信号の値を制御する上記［４］に記載の表示装置。
［６］
電流駆動型の発光部と発光部を駆動する駆動回路とを含む表示素子が行方向と列方向とに２次元マトリクス状に配列されて成る表示部、
表示素子の各行に対応して配された給電線に表示素子を駆動するための駆動電圧を供給する電源部、
表示素子の各列に対応して配されたデータ線に映像信号に応じた映像信号電圧を供給する信号出力部、及び、
表示素子に対応する給電線に供給される駆動電圧のデューティ比と表示素子に対応した映像信号の値とを制御する制御部、
を備えた表示装置を用いて、
表示すべき画像の入力信号に基づいて行方向に並ぶ表示素子に対応した入力信号における最大階調値を検出する工程、
検出結果に基づいて、表示素子に対応する給電線に供給される駆動電圧のデューティ比を制御する工程、及び、
駆動電圧のデューティ比と入力信号とに基づいて、各行の表示素子のそれぞれに対応した映像信号の値を制御する工程、
を行う表示装置の駆動方法。
［７］
駆動電圧のデューティ比の値と入力信号の値とに対応した映像信号の値を、発光部が発光を開始するまでの期間の長さが発光部に流される電流の値によって変化することによる影響を補償するように設定する上記［７］に記載の表示装置の駆動方法。
［８］
制御部は、駆動電圧のデューティ比の値と入力信号の値とに対応した映像信号の値を格納した映像信号値テーブル格納部を備えている上記［６］または［７］に記載の表示装置の駆動方法。
［９］
制御部は、駆動電圧のデューティ比を、最大階調値が所定の基準値以下の場合には所定の値Ｄ1に設定し、最大階調値が所定の基準値を超える場合には値Ｄ1よりも大きい所定の値Ｄ2に設定する上記［６］ないし［８］のいずれかに記載の表示装置の駆動方法。
［１０］
最大階調値が所定の基準値を超える行の周辺が最大階調値が所定の基準値を超えない行で占められている場合に、制御部は、最大階調値が所定の基準値を超える行の周辺行における駆動電圧のデューティ比を最大階調値が所定の基準値を超える行に近づくほど所定の値Ｄ1に近づけるように制御し併せて表示素子に対応した映像信号の値を制御する上記［９］に記載の表示装置の駆動方法。
【符号の説明】
【０１８６】
１・・・表示装置、１０・・・表示素子、１１・・・駆動回路、２０・・・表示部、２１・・・支持体、２２・・・基板、３１・・・ゲート電極、３２・・・ゲート絶縁層、３３・・・半導体層、３４・・・チャネル形成領域、３５，３５・・・ソース／ドレイン領域、３６・・・他方の電極、３７・・・一方の電極、３８，３９・・・配線、４０・・・層間絶縁層、５１・・・アノード電極、５２・・・正孔輸送層、発光層及び電子輸送層、５３・・・カソード電極、５４・・・第２層間絶縁層、５５，５６・・・コンタクトホール、１００・・・電源部、１０１・・・走査回路、１０２・・・信号出力部、１０３・・・第１ノード初期化回路、１１０・・・制御部、１１１・・・ラインバッファ部、１１２・・・最大階調値検出部、１１３・・・デューティ比設定部、１１４・・・映像信号値設定部、１１５・・・映像信号値テーブル格納部、２１０・・・制御部、２１１・・・フレームバッファ部、２１２・・・各行最大階調値検出部、２１３・・・各行デューティ比設定部、２１４・・・映像信号値設定部、２１５・・・映像信号値テーブル格納部、ＳＣＬ・・・走査線、ＤＴＬ・・・データ線、ＰＳ１・・・給電線（第１の給電線）、ＰＳ２・・・第２の給電線、ＡＺ・・・第１ノード初期化制御線、ＴＲW・・・書込みトランジスタ、ＴＲD・・・駆動トランジスタ、ＴＲND1・・・第１ノード初期化トランジスタ、Ｃ1・・・容量部、ＥＬＰ・・・有機エレクトロルミネッセンス発光部、ＣEL・・・発光部ＥＬＰの容量、ＮＤ1・・・第１ノード、ＮＤ2・・・第２ノード
【図１】
2014098736.tif 000003
【図２】
2014098736.tif 000004
【図３】
2014098736.tif 000005
【図４】
2014098736.tif 000006
【図５】
2014098736.tif 000007
【図６】
2014098736.tif 000008
【図７】
2014098736.tif 000009
【図８】
2014098736.tif 000010
【図９】
2014098736.tif 000011
【図１０】
2014098736.tif 000012
【図１１】
2014098736.tif 000013
【図１２】
2014098736.tif 000014
【図１３】
2014098736.tif 000015
【図１４】
2014098736.tif 000016
【図１５】
2014098736.tif 000017
【図１６】
2014098736.tif 000018
【図１７】
2014098736.tif 000019
【図１８】
2014098736.tif 000020
【図１９】
2014098736.tif 000021
【図２０】
2014098736.tif 000022
【図２１】
2014098736.tif 000023
【図２２】
2014098736.tif 000024
【図２３】
2014098736.tif 000025
【図２４】
2014098736.tif 000026